(57)【要約】【課題】被検体の内臓脂肪率を迅速に測定する。【解決手段】この発明の装置は、撮影計画立案用の２次元Ｘ線透過画像ＰＢに被検体Ｍの内臓脂肪率を測定する位置である被検体Ｍの臍部の位置に被着されたマーカＭＫが出現すると共に、撮影計画を立てる際に２次元Ｘ線透過画像ＰＢ上でマーカ出現位置指定部１７により指定されるマーカＭＫの出現位置ＰＫが撮影位置として設定される構成を備えている。Ｘ線ＣＴ撮影の実行によってマーカＭＫの出現位置ＰＫのＸ線ＣＴ画像が必ず得られると共に、Ｘ線ＣＴ撮影の完了に伴って、自動的にマーカＭＫの出現位置ＰＫのＸ線ＣＴ画像の自動的識別および被検体Ｍの内臓脂肪率の自動的求出がおこなわれるので、被検体Ｍの内臓脂肪率を迅速に測定することができる。【選択図】    図５
2004254933.tif 000002
【特許請求の範囲】
【請求項１】
予め立案設定された撮影計画に従って実行されるＸ線ＣＴ撮影により被検体に設定されている撮影位置の断面（スライス断面）についてのＸ線ＣＴ画像が得られるように構成されていると共に、Ｘ線ＣＴ画像に基づいて被検体の内臓脂肪率が求出されるように構成されているＸ線ＣＴ装置において、被検体の内臓脂肪率を測定する位置として予め定められている被検体の体表面上の内臓脂肪率測定位置にＸ線遮蔽性材料製のマーカが被着されている被検体について撮影計画立案用の２次元Ｘ線透過画像を撮影する計画用画像撮影手段と、計画用画像撮影手段により撮影された２次元Ｘ線透過画像上のマーカの出現位置をＸ線ＣＴ画像を得る撮影位置として指定するマーカ出現位置指定手段と、マーカ出現位置指定手段で指定されたマーカの出現位置のＸ線ＣＴ画像が被検体の内臓脂肪率の求出に用いられるように構成されていることを特徴とするＸ線ＣＴ装置。
【請求項２】
請求項１に記載のＸ線ＣＴ装置において、マーカ出現位置指定手段で指定されたマーカの出現位置に基づきマーカの出現位置のＸ線ＣＴ画像が自動的に識別されるのに続いて、識別されたＸ線ＣＴ画像を用いて被検体の内臓脂肪率が自動的に求出されるように構成されているＸ線ＣＴ装置。
【請求項３】
請求項２に記載のＸ線ＣＴ装置において、立案設定された撮影計画に従って実行されるＸ線ＣＴ撮影の完了に伴って、自動的にマーカの出現位置のＸ線ＣＴ画像の自動的識別、ならびに、被検体の内臓脂肪率の自動的求出がおこなわれるように構成されているＸ線ＣＴ装置。
【請求項４】
請求項１から３のいずれかに記載のＸ線ＣＴ装置において、Ｘ線遮蔽性材料製のマーカがベルトに取り付けられていて、被検体にベルトを取り外し可能な状態で装着することにより、Ｘ線遮蔽性材料製のマーカが被検体に被着されているＸ線ＣＴ装置。
【請求項５】
請求項１から４のいずれかに記載のＸ線ＣＴ装置において、Ｘ線遮蔽性材料製のマーカが、被検体の臍部の位置に被着されているＸ線ＣＴ装置。
【発明の詳細な説明】
【０００１】
【発明の属する技術分野】
この発明は、予め立案設定された撮影計画に従って実行されるＸ線ＣＴ撮影により被検体に設定されている撮影位置の断面（スライス断面）のＸ線ＣＴ画像が得られるように構成されていると共に、Ｘ線ＣＴ画像に基づいて被検体の内臓脂肪率が求出されるように構成されているＸ線ＣＴ装置に係り、特に被検体の内臓脂肪率を迅速に測定するための技術に関する。
【０００２】
【従来の技術】
Ｘ線ＣＴ装置として、予め立案設定された撮影計画に従って実行されるＸ線ＣＴ撮影により、被検体の体軸方向に沿って次々連続的に設定されている輪切り断面の各々についてＸ線ＣＴ画像が得られるように構成されているのに加えて、Ｘ線ＣＴ画像に基づいて被検体Ｍの内臓脂肪率が求出できるように構成されている装置がある。
【０００３】
内臓脂肪率は成人病の要因となる肥満度を示す重要な指標であり、内臓脂肪率が高いと要注意であるとされる。Ｘ線ＣＴ装置の場合、Ｘ線ＣＴ画像における内臓区域の脂肪量ｑａと内臓区域の外側の皮下区域の脂肪量ｑｂをそれぞれＸ線ＣＴ画像の画像信号を利用して求めてから〔（ｑａ／ｑｂ）×１００〕という演算をおこなうことによりを内臓脂肪率を求出している。内臓区域の脂肪量ｑａおよび皮下区域の脂肪量ｑｂは、各区域における画素のピクセル値（信号強度）が脂肪とみなされる範囲にある画素の数をカウントすることでそれぞれ求められる。
【０００４】
【発明が解決しようとする課題】
しかしながら、上記従来のＸ線ＣＴ装置は、往々にして被検体の内臓脂肪率を測定するのに非常に手間がかかり、被検体の内臓脂肪率を迅速に測定することができないという問題がある。
被検体の内臓脂肪率は、過去の測定データや他者の測定データとの比較等の為に、普通、被検体の内臓脂肪率を測定する位置（内臓脂肪率測定位置）として被検体Ｍの体表面上で予め定められている一定の位置（例えば臍部の位置）のＸ線ＣＴ画像に基づいて測定される。それゆえ、内臓脂肪率を求出する場合は内臓脂肪率測定位置のＸ線ＣＴ画像が必要となる。
【０００５】
一方、撮影計画に従って撮影された各Ｘ線ＣＴ画像の場合、それぞれ被検体Ｍ上での撮影位置と対応付けられて記憶されている。しかし、被検体の体表面上での内臓脂肪率測定位置の方については何ら記憶されていない。Ｘ線ＣＴ撮影に先立って撮影された被検体の２次元Ｘ線透過画像に基づいてＸ線ＣＴ撮影の撮影計画が立案設定される場合でも、２次元Ｘ線透過画像上には内臓脂肪率測定位置を知ることのできる手がかりは映っていない。したがって、Ｘ線ＣＴ撮影終了後、オペレータ（撮影技師）が記憶されている幾枚ものＸ線ＣＴ画像をひとつひとつチェックしたりして内臓脂肪率測定位置のＸ線ＣＴ画像を見つけ出すという手間の要る検索作業を行わなければならない。もし適当なＸ線ＣＴ画像が検索作業で見つからない場合は、さらに内臓脂肪率測定位置を推定すると共に、推定した内臓脂肪率測定位置のＸ線ＣＴ画像を撮影した何枚かのＸ線ＣＴ画像に基づいて作成する処理をおこなわなければならず、より手間がかかる。
【０００６】
この発明は、このような事情に鑑みなされたものであって、被検体の内臓脂肪率を、手間をかけずに迅速に測定することができるＸ線ＣＴ装置を提供することを目的としている。
【０００７】
【課題を解決するための手段】
この発明は、このような目的を達成するために、次のような構成をとる。
すなわち、請求項１の発明に係るＸ線ＣＴ装置は、予め立案設定された撮影計画に従って実行されるＸ線ＣＴ撮影により被検体に設定されている撮影位置の断面（スライス断面）についてのＸ線ＣＴ画像が得られるように構成されていると共に、Ｘ線ＣＴ画像に基づいて被検体の内臓脂肪率が求出されるように構成されているＸ線ＣＴ装置において、被検体の内臓脂肪率を測定する位置として予め定められている被検体の体表面上の内臓脂肪率測定位置にＸ線遮蔽性材料製のマーカが被着されている被検体について撮影計画立案用の２次元Ｘ線透過画像を撮影する計画用画像撮影手段と、計画用画像撮影手段により撮影された２次元Ｘ線透過画像上のマーカの出現位置をＸ線ＣＴ画像を得る撮影位置として指定するマーカ出現位置指定手段とを備え、マーカ出現位置指定手段で指定されたマーカの出現位置のＸ線ＣＴ画像が被検体の内臓脂肪率の求出に用いられるように構成されていることを特徴とするものである。
【０００８】
〔作用・効果〕請求項１の発明の装置の場合、Ｘ線ＣＴ撮影に先立って計画用画像撮影手段により、被検体の内臓脂肪率を測定する位置として予め定められている被検体の体表面上の内臓脂肪率測定位置にＸ線遮蔽性材料製のマーカが被着されている被検体について撮影計画立案用の２次元Ｘ線透過画像が撮影される。続いて、撮影された２次元Ｘ線透過画像を用いて被検体のスライス断面についてのＸ線ＣＴ画像を得る撮影位置を被検体に設定する等して撮影計画が立てられる際に、マーカ出現位置指定手段により、２次元Ｘ線透過画像上のマーカの出現位置がＸ線ＣＴ画像を得る撮影位置として指定される。こうしてマーカの出現位置が撮影位置となるように立案設定された撮影計画に従ってＸ線ＣＴ撮影が実行されることによって、マーカ出現位置指定手段で指定されたマーカの出現位置のＸ線ＣＴ画像が得られ、このマーカの出現位置のＸ線ＣＴ画像を用いて被検体の内臓脂肪率が求出される。
【０００９】
すなわち、請求項１の発明によれば、計画用画像撮影手段により撮影された撮影計画立案用の２次元Ｘ線透過画像には被検体の内臓脂肪率を測定する位置として予め定められている被検体の体表面上の内臓脂肪率測定位置に被着されたＸ線遮蔽性材料製のマーカが出現すると共に、撮影計画を立てる際にマーカ出現位置指定手段により２次元Ｘ線透過画像上で指定されたマーカの出現位置がＸ線ＣＴ画像を得る撮影位置として設定される構成を備えていて、Ｘ線ＣＴ撮影の実行によってマーカの出現位置のＸ線ＣＴ画像が必ず得られると共に、内臓脂肪率測定位置としてのマーカの出現位置を撮影計画の立案段階で把握することができるので、Ｘ線ＣＴ画像をひとつひとつチェックせずとも、被検体の内臓脂肪率の求出に用いるＸ線ＣＴ画像が簡単に分かるようになる結果、被検体の内臓脂肪率を手間をかけずに迅速に測定することができる。
【００１０】
また、請求項２の発明は、請求項１に記載のＸ線ＣＴ装置において、マーカ出現位置指定手段で指定されたマーカの出現位置に基づきマーカの出現位置のＸ線ＣＴ画像が自動的に識別されるのに続いて、識別されたＸ線ＣＴ画像を用いて被検体の内臓脂肪率が自動的に求出されるように構成されているものである。
【００１１】
〔作用・効果〕請求項２の発明によれば、マーカの出現位置のＸ線ＣＴ画像の識別と、識別されたＸ線ＣＴ画像を用いる被検体の内臓脂肪率の求出が自動的におこなわれるので、被検体の内臓脂肪率をより迅速に測定できる。
【００１２】
また、請求項３の発明は、請求項２に記載のＸ線ＣＴ装置において、立案設定された撮影計画に従って実行されるＸ線ＣＴ撮影の完了に伴って、自動的にマーカの出現位置のＸ線ＣＴ画像の自動的識別、ならびに、被検体の内臓脂肪率の自動的求出がおこなわれるように構成されているものである。
【００１３】
〔作用・効果〕  請求項３の発明によれば、撮影計画を立てる際にマーカ出現位置指定手段により２次元Ｘ線透過画像上のマーカの出現位置を撮影位置として指定しておけば、後は完全自動で内臓脂肪率が求出されるので、被検体の内臓脂肪率を極めて迅速に測定することができる。
【００１４】
また、請求項４の発明は、請求項１から３のいずれかに記載のＸ線ＣＴ装置において、Ｘ線遮蔽性材料製のマーカがベルトに取り付けられていて、被検体にベルトを取り外し可能な状態で装着することにより、Ｘ線遮蔽性材料製のマーカが被検体に被着されているものである。
【００１５】
〔作用・効果〕  請求項４の発明によれば、被検体にベルトを装着すれば、被検体にＸ線遮蔽性材料製のマーカを被着することができ、被検体からベルトを取り外せば、被検体からＸ線遮蔽性材料製のマーカを離脱させられるので、Ｘ線遮蔽性材料製のマーカを容易に着脱することができる。
【００１６】
また、請求項５の発明は、請求項１から４のいずれかに記載のＸ線ＣＴ装置において、Ｘ線遮蔽性材料製のマーカが、被検体の臍部の位置に被着されているものである。
〔作用・効果〕請求項５の発明によれば、被検体の臍部の位置は腹部のうちでも内臓脂肪率の測定に適する部位であるので、被検体の臍部の位置にＸ線遮蔽性材料製のマーカが被着されていると、被検体の内臓脂肪率を正確に測定することができる。
【００１７】
【発明の実施の形態】
続いて、この発明の一実施例を図面を参照しながら説明する。図１は実施例に係る医用のＸ線ＣＴ装置の全体構成を示すブロック図、図２は実施例のＸ線ＣＴ装置の撮像機構の構成を示す模式図である。
実施例のＸ線ＣＴ装置は、図１および図２に示すように、Ｘ線ファンビームＦＢを被検体Ｍに照射するＸ線管１と、Ｘ線ファンビームＦＢの広がりに沿って多数（例えば、１０２４個）のＸ線検出素子２ａがライン状に並んでいると共に被検体Ｍを透過したＸ線（透過Ｘ線）を検出するＸ線検出器２とが対向配置状態を維持したまま被検体Ｍのまわりを回転可能に配設されているガントリ３を備えるのに加えて、被検体Ｍを載置したままでＸ線管１とＸ線検出器２との間を被検体Ｍの体軸Ｚの方向に往復移動させられてガントリ３を出入りする天板４とを備えいて、撮影計画立案用の２次元Ｘ線透過画像を得る計画用画像撮影と、診断用のＸ線ＣＴ画像を得るＸ線ＣＴ撮影とがおこなえる構成となっている。
【００１８】
即ち、実施例のＸ線ＣＴ装置の場合、通常、先ず撮影計画立案用の２次元Ｘ線透過画像を撮影してから、図３に示すように、撮影した２次元Ｘ線透過画像ＰＡを用いて被検体Ｍの体軸Ｚ方向に沿って次々連続的にＸ線ＣＴ画像を得る撮影位置Ｐ１，Ｐ２，・・，ＰＮを被検体Ｍに設定する等して撮影計画を立てる。そして、実施例装置において、２次元Ｘ線透過画像を用いて立案設定された撮影計画に従ってＸ線ＣＴ撮影が実行されると、図４に示すように、被検体Ｍの体軸Ｚ方向に沿って次々連続的に設定されている輪切り断面（スライス断面）Ｍ１，Ｍ２，・・，ＭＮの各々についてＸ線ＣＴ画像が得られる。
以下、実施例のＸ線ＣＴ装置の各部の構成を具体的に説明する。
【００１９】
計画用画像撮影の場合、被検体Ｍを挟んでＸ線管１とＸ線検出器２を回転させずに静止状態のまま、天板４だけを被検体Ｍの体軸Ｚの方向に移動させてＸ線管１とＸ線検出器２の間へ被検体Ｍを送り込みながら、Ｘ線管１からＸ線ファンビームＦＢを連続照射すると同時に、Ｘ線検出器２から出力される透過画像用Ｘ線検出信号をデータ収集部（ＤＡＳ）５が収集する。
なお、計画用画像撮影では、Ｘ線透過撮影制御部６の制御に従って、メカニカル制御部８が天板４の移動をコントロールし、Ｘ線曝射制御部９がＸ線管１によるＸ線ファンビームＦＢの照射をコントロールする。
【００２０】
Ｘ線ＣＴ撮影の場合、Ｘ線管１とＸ線検出器２を対向配置状態のまま被検体Ｍのまわりを回転させた状態で、天板４を被検体Ｍの体軸Ｚの方向に移動させてＸ線管１とＸ線検出器２の間へ被検体Ｍを送り込みながら、Ｘ線管１からＸ線ファンビームＦＢを連続的に照射すると同時に、Ｘ線検出器２から出力されるＣＴ画像用Ｘ線検出信号をデータ収集部５が収集する。つまり、実施例装置によるＸ線ＣＴ撮影では、Ｘ線管１とＸ線検出器２が被検体Ｍのまわりを螺旋経路に沿って相対的に移動しながらＣＴ画像用Ｘ線検出信号を収集する螺旋式ＣＴスキャンがおこなわれる。
なお、Ｘ線ＣＴ撮影では、Ｘ線ＣＴ撮影制御部７の制御に従って、メカニカル制御部８がＸ線管１およびＸ線検出器２の回転や天板４の移動をコントロールし、Ｘ線曝射制御部９がＸ線管１によるＸ線ファンビームＦＢの照射をコントロールする。
【００２１】
また、天板４の移動に伴って刻々変化する天板４の位置は、特定の基準位置を原点として計測されて制御系側にフィードバックされるように構成されていて、撮影計画で撮影対象として選ばれる輪切り断面Ｍ１，Ｍ２，・・，ＭＮが存在する被検体Ｍ上の撮影位置Ｐ１，Ｐ２，・・，ＰＮは天板４の位置と対応付けられて設定される構成となっており、したがって撮影位置の制御は天板４の位置のコントロールによっておこなわれることになる。
【００２２】
一方、データ収集部５の後段には、計画用画像撮影でデータ収集部５が収集するＸ線検出信号に対して２次元Ｘ線透過画像化のための信号処理をおこなう画像信号処理部１０と、Ｘ線ＣＴ撮影でデータ収集部５が収集するＸ線検出信号に対してＸ線ＣＴ画像化のための再構成処理をおこなう画像再構成部１１とを備えている。したがって、実施例の場合、計画用画像撮影手段は、主としてＸ線透過撮影制御部６および画像信号処理部１０で構成されていることになる。なお、画像再構成部１１による再構成処理としては、例えば適当な再構成関数を用いてＸ線検出信号の畳み込み積分を行うと共に、畳み込み積分結果を逆投影する処理が挙げられる。
【００２３】
さらに画像信号処理部１０や画像再構成部１１の後段には、撮影された２次元Ｘ線透過画像やＸ線ＣＴ画像を記憶する画像メモリ部１２と、画像メモリ部１２に記憶されている画像や入力操作用画面などを表示する画像モニタ１３と、撮影に必要な指令やデータなどの入力操作をおこなう為の操作卓１４およびマウス（ポインティングデバイス）１４ａが設けられているのに加え、Ｘ線透過撮影制御部６やＸ線ＣＴ撮影制御部７、メカニカル制御部８、Ｘ線曝射制御部９、画像信号処理部１０、画像再構成部１１、画像メモリ部１２、画像モニタ１３などが適切に作動するように操作卓１４やマウス１４ａによる入力操作や撮影の進行状況に応じて指令を送出するホストコンピュータ１５が設けられている。
【００２４】
また、実施例のＸ線ＣＴ装置は、被検体Ｍの内臓脂肪率を求出する内臓脂肪率求出部１６を備えている。実施例装置の場合、内臓脂肪率測定位置が被検体Ｍの臍部Ｍａの位置に定められているので、内臓脂肪率求出部１６は被検体Ｍの臍部Ｍａの位置のＸ線ＣＴ画像に基づいて被検体Ｍの内臓脂肪率を求出するように構成されている。
【００２５】
そして、実施例のＸ線ＣＴ装置の場合、内臓脂肪率求出の迅速化を図る為に、次のような構成を備えている。
先ず、Ｘ線透過撮影制御部６および画像信号処理部１０で主として構成されている計画用画像撮影手段が、図５に示すように、被検体Ｍの内臓脂肪率を測定する位置として予め定められている被検体Ｍの体表面上の臍部の位置にＸ線遮蔽性材料製のマーカＭＫが被着されている被検体Ｍについて撮影計画立案用の２次元Ｘ線透過画像ＰＢを撮影して画像モニタ１３の画面に表示するように構成されている。マーカＭＫはＸ線遮蔽性材料製であるので、２次元Ｘ線透過画像ＰＢ上に出現して、被検体Ｍの臍部の位置を明瞭に示す。
【００２６】
実施例の装置の場合、図６に示すように、アクリル樹脂製のマーカＭＫが柔軟なプラスチックス製のベルトＭＢに取り付けられていて、図７に示すように、被検体Ｍの腹部にマーカＭＫが臍部Ｍａの上にくるようにしてベルトＭＢを取り外し可能な状態で装着することにより、マーカＭＫが被検体Ｍの臍部Ｍａの位置に被着されている。したがって、実施例の場合、ベルトＭＢの装着によりマーカＭＫを被着することができ、ベルトＭＢの取り外しによりマーカＭＫを離脱させられるので、マーカＭＫを容易に着脱することができる。特に、図６に示すように、ベルトＭＢはベルト端部に付設されたマジックテープ（面ファスナ）ｍｂによりワッタッチで取り付け・取り外しが可能な構成となっている。
なお、Ｘ線遮蔽性材料製のマーカＭＫは、アクリル樹脂製に限られるものではなく、例えばアルミニウム製などの金属材料からなるものでもよい。また、マーカＭＫはベルトＭＢではなく、粘着テープを使用して臍部Ｍａの位置に被着されているようであってもよい。
【００２７】
また、実施例装置は、撮影計画立案用の２次元Ｘ線透過画像ＭＢ上のマーカＭＫの出現位置をＸ線ＣＴ画像を得る撮影位置として指定するマーカ出現位置指定部１７を備えている。このマーカ出現位置指定部１７は、オペレータが操作卓１４ないしマウス１４ａで画像モニタ１３の画面に表示された３次元体表面画像ＰＢ上でマーカＭＫの出現位置を入力（画面入力）すると、図５に示すように、マーカＭＫの出現位置（即ち臍部の位置＝内臓脂肪率測定位置）ＰＫを検知して撮影位置として設定すると共に、マーカＭＫの出現位置ＰＫを内臓脂肪率求出部１６へ伝達するように構成されている。したがって、内臓脂肪率測定位置としてのマーカＭＫの出現位置ＰＫを撮影計画の立案段階で把握できるうえに、Ｘ線ＣＴ撮影の実行によって、マーカＭＫの出現位置ＰＫのＸ線ＣＴ画像が必ず得られる。
【００２８】
なお、マーカ出現位置指定部１７によるマーカＭＫの出現位置ＰＫの指定が済めば、普通、バンドＭＢを取り外してマーカＭＫを離脱させる。ただ、マーカＭＫの被着がＸ線ＣＴ撮影に支障がない場合は、マーカＭＫを被着したままでＸ線ＣＴ撮影をおこなうことができる。特にアクリル樹脂製のようなＸ線遮蔽性が強くないマーカＭＫの場合、マーカＭＫを被着したままでＸ線ＣＴ撮影がおこなえる場合が多くなる。
【００２９】
さらに、実施例装置の場合、内臓脂肪率求出部１６は、マーカ出現位置指定部１７で指定されたマーカＭＫの出現位置ＰＫに基づきマーカＭＫの出現位置ＰＫのＸ線ＣＴ画像を自動的に識別するのに続いて、識別したＸ線ＣＴ画像を用いて被検体Ｍの内臓脂肪率を自動的に求出するように構成されているのに加え、さらに立案設定された撮影計画に従って実行されるＸ線ＣＴ撮影の完了に伴って、自動的にマーカＭＫの出現位置ＰＫのＸ線ＣＴ画像の自動的識別、ならびに、被検体Ｍの内臓脂肪率の自動的求出をおこなうように構成されている。
【００３０】
内臓脂肪率求出部１６におけるマーカＭＫの出現位置ＰＫのＸ線ＣＴ画像の自動的識別処理は次のようにしておこなわれる。Ｘ線ＣＴ撮影が完了した時点では、画像メモリ部１２に撮影位置Ｐ１〜ＰＮのＸ線ＣＴ画像が撮影位置Ｐ１〜ＰＮと対応付けられて記憶されているので、内臓脂肪率求出部１６はマーカ出現位置指定部１７から伝達されていたマーカＭＫの出現位置ＰＫに基づいて、画像メモリ部１２に撮影位置ＰＫと対応付けられて記憶されている（図８に示す）Ｘ線ＣＴ画像ＰＣを検索してピックアップする。
【００３１】
さらに内臓脂肪率求出部１６ではピックアップしたＸ線ＣＴ画像ＰＣに基づいて被検体Ｍの内臓脂肪率の自動的求出処理が次のようにしておこなわれる。先ずＸ線ＣＴ画像ＰＣにおいて内臓区域ＱＡと内臓区域ＱＡの外側の皮下区域ＱＢの範囲を画像信号のピクセル値に基づいて自動的に区分け処理した後、内臓区域ＱＡの脂肪量ｑａと皮下区域ＱＢの脂肪量ｑｂをそれぞれＸ線ＣＴ画像ＰＣの画像信号を使って求めてから〔（ｑａ／ｑｂ）×１００〕という演算処理をおこなうことによって内臓脂肪率を求出する。内臓区域ＱＡの脂肪量ｑａおよび皮下区域ＱＢの脂肪量ｑｂは、各区域ＱＡ，ＱＢにおける画素のピクセル値（信号強度）が脂肪とみなされる範囲にある画素の数をカウントすることで求められる。
加えて、実施例装置の場合、また、内臓脂肪率求出部１６は、Ｘ線ＣＴ撮影の完了を示す指令信号がホストコンピュータ１５から受信するのに伴って始動するように構成されているので、撮影計画を立てる際にマーカ出現位置指定部１７により２次元Ｘ線透過画像ＰＢ上のマーカＭＫの出現位置ＰＫを撮影位置として指定しておけば、後は完全自動で内臓脂肪率が求出される。
【００３２】
次に、実施例のＸ線ＣＴ装置による計画用画像撮影開始から内臓脂肪率測定終了までの一連のプロセスが実行される時の装置動作を、図面を参照しながら説明する。図９は、実施例装置における計画用画像撮影開始から内臓脂肪率測定終了までのプロセスを示すフローチャートである。以下では、被検体ＭにマーカＭＫが被着され、天板４の上へ載せられて所定の位置へセットされた状態から説明する。
〔ステップＳ１〕計画用画像撮影を実行し、天板４上の被検体Ｍの撮影計画立案用の２次元Ｘ線透過画像ＰＢを撮影して、画像モニタ１３の画面に表示する。
【００３３】
〔ステップＳ２〕オペレータが画像モニタ１３に表示された２次元Ｘ線透過画像ＰＢを見ながら操作卓１４ないしマウス１４ａを操作して、図５に示すように、撮影した２次元Ｘ線透過画像ＰＢに基づいてＸ線ＣＴ画像を得る被検体Ｍ上の撮影位置Ｐ１，Ｐ２，・・，ＰＮを設定する。
【００３４】
〔ステップＳ３〕オペレータが操作卓１４ないしマウス１４ａを操作して、次元Ｘ線透過画像ＰＢ上のマーカＭＫの出現位置ＰＫを画面入力するのに伴って、マーカ出現位置指定部１７がマーカＭＫの出現位置ＰＫを検知して撮影位置として設定すると共に、マーカＭＫの出現位置ＰＫを内臓脂肪率求出部１６へ伝達する。
【００３５】
〔ステップＳ４〕被検体ＭからバンドＭＢを取り外して、Ｘ線遮蔽性材料製のマーカＭＫを離脱させる。
【００３６】
〔ステップＳ５〕立案設定された撮影計画に従ってＸ線ＣＴ撮影が実行され、各撮影位置Ｐ１〜ＰＫ〜ＰＮのＸ線ＣＴ画像が得られて画像メモリ部１２に記憶される。
【００３７】
〔ステップＳ６〕Ｘ線ＣＴ撮影の完了に伴って内臓脂肪率求出部１６が起動し、図８に示すように、マーカ出現位置指定部１７から先に伝達された撮影位置ＰＫのＸ線ＣＴ画像ＰＣを画像メモリ部１２からピックアップする。
【００３８】
〔ステップＳ７〕内臓脂肪率求出部１６がピックアップしたＸ線ＣＴ画像ＰＣに基づいて被検体Ｍの内臓脂肪率を求出する。
【００３９】
以上に述べたように、実施例のＸ線ＣＴ装置の場合、撮影計画立案用の２次元Ｘ線透過画像ＰＢには被検体Ｍの内臓脂肪率を測定する位置として予め定められている被検体Ｍの臍部Ｍａの位置に被着されたマーカＭＫが出現すると共に、撮影計画を立てる際に２次元Ｘ線透過画像ＰＢ上でマーカ出現位置指定部１７により指定されたマーカＭＫの出現位置ＰＫが撮影位置として設定される構成を備えていて、Ｘ線ＣＴ撮影の実行によってマーカＭＫの出現位置ＰＫのＸ線ＣＴ画像ＰＣが必ず得られると共に、Ｘ線ＣＴ撮影の完了に伴って、自動的にマーカＭＫの出現位置ＰＫのＸ線ＣＴ画像ＰＣの自動的識別および被検体Ｍの内臓脂肪率の自動的求出がおこなわれるので、被検体Ｍの内臓脂肪率を殆ど手間をかけずに事実上、全自動で極めて迅速に測定することができる。
【００４０】
この発明は、上記実施の形態に限られることはなく、下記のように変形実施することができる。
（１）実施例の場合、内臓脂肪率測定位置をずばり被検体Ｍの臍部Ｍａの位置としたが、内臓脂肪率測定位置は臍部Ｍａから下へ何センチの処というように臍部Ｍａから外れた位置、或いは、臍部Ｍａとは関係のない位置であってもよい。
【００４１】
（２）実施例の装置では、マーカＭＫの出現位置ＰＫを３次元体表面画像ＰＢ上でオペレータが入力する構成であったが、３次元体表面画像ＰＢにおけるマーカＭＫの出現位置ＰＫを画像処理で自動的に指定する構成であってもよい。
【００４２】
（３）実施例装置は、Ｘ線ＣＴ撮影の完了に伴って、自動的にマーカＭＫの出現位置ＰＫのＸ線ＣＴ画像ＰＣの自動的識別および被検体Ｍの内臓脂肪率の自動的求出がおこなわれる全自動構成であった。しかし、この発明の装置においては、例えば、Ｘ線ＣＴ画像ＰＣの識別はオペレータがマーカＭＫの出現位置ＰＫを入力することで行われる構成であってもよい。また、内臓脂肪率の求出の際、内臓脂肪率求出部１６の始動開始や、内臓区域ＱＡと皮下区域ＱＢの区分け処理がオペレータの操作でおこなわれる構成であってもよい。
【００４３】
（４）実施例では、Ｘ線ＣＴ撮影の際にマーカＭＫの出現位置ＰＫ以外の撮影位置でもＸ線ＣＴ画像の撮影がおこなわれたが、この発明の装置の場合、マーカＭＫの出現位置ＰＫのＸ線ＣＴ画像だけを撮影するものであってもよい。
【００４４】
【発明の効果】
以上に詳述したように、この発明のＸ線ＣＴ装置によれば、計画用画像撮影手段により撮影された撮影計画立案用の２次元Ｘ線透過画像には被検体の内臓脂肪率を測定する位置として予め定められている被検体の体表面上の内臓脂肪率測定位置に被着されたＸ線遮蔽性材料製のマーカが出現すると共に、撮影計画を立てる際にマーカ出現位置指定手段により２次元Ｘ線透過画像上で指定されたマーカの出現位置がＸ線ＣＴ画像を得る撮影位置として設定される構成を備えていて、Ｘ線ＣＴ撮影の実行によってマーカの出現位置のＸ線ＣＴ画像が必ず得られると共に、内臓脂肪率測定位置としてのマーカの出現位置を撮影計画の立案段階で把握することができるので、Ｘ線ＣＴ画像をひとつひとつチェックせずとも、被検体の内臓脂肪率の求出に用いるＸ線ＣＴ画像が簡単に分かるようになる結果、被検体の内臓脂肪率を迅速に測定することができる。
【図面の簡単な説明】
【図１】実施例のＸ線ＣＴ装置の全体構成を示すブロック図である。
【図２】実施例のＸ線ＣＴ装置の撮像機構の構成を示す模式図である。
【図３】実施例での２次元Ｘ線透過画像を用いた撮影計画の立案設定状況を示す説明図である。
【図４】実施例装置によりＸ線ＣＴ画像を得る被検体上の輪切り断面を示す模式図である。
【図５】実施例での２次元Ｘ線透過画像上でのマーカの出現位置の指定状況を示す説明図である。
【図６】Ｘ線遮蔽性材料製のマーカが取り付けられたバンドを示す斜視図である。
【図７】Ｘ線遮蔽性材料製のマーカを取り付けたバンドを腹部に装着した被検体を示す模式図である。
【図８】実施例装置で撮影されたマーカの出現位置のＸ線ＣＴ画像の一例を示す模式図である。
【図９】実施例装置における計画用画像撮影開始から内臓脂肪率測定終了までのプロセスを示すフローチャートである。
【符号の説明】
１          …  Ｘ線管
２          …  Ｘ線検出器
６          …  Ｘ線透過撮影制御部
７          …  Ｘ線ＣＴ撮影制御部
１０        …  画像信号処理部
１１        …  画像再構成部
１６        …  内臓脂肪率求出部
１７        …  マーカ出現位置指定部
Ｍ          …  被検体
Ｍａ        …  臍部
ＭＢ        …  バンド
ＭＫ        …  マーカ
ＰＢ        …  ２次元Ｘ線透過画像
ＰＣ        …  マーカの出現位置のＸ線ＣＴ画像
ＰＫ        …  マーカの出現位置
【図１】
2004254933.tif 000003
【図２】
2004254933.tif 000004
【図３】
2004254933.tif 000005
【図４】
2004254933.tif 000006
【図５】
2004254933.tif 000007
【図６】
2004254933.tif 000008
【図７】
2004254933.tif 000009
【図８】
2004254933.tif 000010
【図９】
2004254933.tif 000011